(57)【特許請求の範囲】
【請求項１】
複数個の電池（２）と、
前記電池を収容するケースであって、前記電池を冷却する空気が流れる電池冷却通路（３０）を内部に形成する電池収容ケース（３）と、
前記電池と電気的に接続されて電流制御に関わる電子部品（５１０，５１１，５１２）を内部に有するジャンクションボックス（５）と、
外部の空気を前記電池収容ケースの内部に流入させる空気搬送手段（６）と、
前記ジャンクションボックスの内部に形成され、前記電子部品が設けられる通路であって、前記電池冷却通路と前記ジャンクションボックスの外部とを連通させる電子部品冷却通路（５３）と、
を備え、
前記ジャンクションボックスは、前記電池収容ケースの上部に位置する台座部（３１）に載置され、
前記台座部には、前記台座部を貫通し前記電池冷却通路と前記電子部品冷却通路とを連結する連絡通路（３１１）が形成され、
前記空気搬送手段は、前記電池収容ケースの内部に流入させた空気を、前記電池冷却通路に流通させて前記電池を冷却した後、前記連絡通路を介して前記電子部品冷却通路に流通させて前記電子部品を冷却してから前記ジャンクションボックスの外部に排出し、
前記連絡通路は、複数個設けられ、前記連絡通路を流れてきた空気を前記電子部品の下面に接触させて前記電子部品の下部から上部に向けて流すように前記電子部品の下方で開口する通路を含むことを特徴とする冷却装置。
【請求項２】
前記電子部品は、リレー（５１０，５１１，５１２）であることを特徴とする請求項１に記載の冷却装置。
【請求項３】
少なくとも前記電池の蓄電量を管理する電池制御ユニット（４）を備え、
前記電池制御ユニットは、前記ジャンクションボックスに対して、前記電子部品冷却通路を流れる空気が外部に向けて排出される前記ジャンクションボックスの空気排出部（５３０）とは反対側に位置するように設けられることを特徴とする請求項１または請求項２に記載の冷却装置。
【請求項４】
前記電子部品に接続されるバスバー（５１０１，５１０２）をさらに備え、
前記バスバーは、前記電子部品の上部に位置し、かつ、前記電子部品冷却通路のうち、前記ジャンクションボックスの内部であって上部に位置する通路部分に設けられていることを特徴とする請求項１ないし請求項３のいずれか一項に記載の冷却装置。
【発明の詳細な説明】
【技術分野】
【０００１】
本発明は、電池及び電子部品を冷却する冷却装置に関する。
【背景技術】
【０００２】
特許文献１には、ケースの内部に収容された電池に対して冷却ファンユニットにより送風し、電池を冷却することが開示されている。また、電池を収容するケースの上部には、電池に電気的に接続されるジャンクションボックスが載置されている。通常、ジャンクションボックスの内部には、リレー、プリチャージ用抵抗等の発熱体が設けられる。
【先行技術文献】
【特許文献】
【０００３】
【特許文献１】特開２００７−２９６９３５号公報
【発明の概要】
【発明が解決しようとする課題】
【０００４】
特許文献１の装置は、電池を冷却する空気経路を備えるが、ジャンクションボックスに対して冷却用の空気を送風する空気経路を備えない。したがって、ジャンクションボックス内部の上記発熱体を直接的に冷却することができない。特にリレーは、車両走行時には常時通電状態であるため、部品自体の発熱量が大きい。このため、励磁コイル温度が上昇してコイル抵抗が増加し、夏季等のリレーの再起動時に必要な電圧が上昇してしまうという問題がある。また、リレーの発熱により電池が暖められ、電池性能の低下の一因となることがある。
【０００５】
そこで、本発明は、上記点に鑑み、電池と電子部品との両方の冷却を実現し、これらの性能発揮に貢献する冷却装置を提供することを目的とする。
【課題を解決するための手段】
【０００６】
本発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、本発明の技術的範囲を限定するものではない。
【０００７】
開示された冷却装置に係る発明のひとつは、複数個の電池（２）と、電池を収容するケースであって、電池を冷却する空気が流れる電池冷却通路（３０）を内部に形成する電池収容ケース（３）と、電池と電気的に接続されて電流制御に関わる電子部品（５１０，５１１，５１２）を内部に有するジャンクションボックス（５）と、外部の空気を電池収容ケースの内部に流入させる空気搬送手段（６）と、ジャンクションボックスの内部に形成され、電子部品が設けられる通路であって、電池冷却通路とジャンクションボックスの外部とを連通させる電子部品冷却通路（５３）と、を備え、
ジャンクションボックスは、電池収容ケースの上部に位置する台座部（３１）に載置され、台座部には、台座部を貫通し電池冷却通路と電子部品冷却通路とを連結する連絡通路（３１１）が形成され、
空気搬送手段は、電池収容ケース内に流入させた空気を、電池冷却通路に流通させて電池を冷却した後、連絡通路を介して電子部品冷却通路に流通させて電子部品を冷却してからジャンクションボックスの外部に排出し、
連絡通路は、複数個設けられ、連絡通路を流れてきた空気を電子部品の下面に接触させて電子部品の下部から上部に向けて流すように電子部品の下方で開口する通路を含むことを特徴とする。
【０００８】
この発明によれば、空気搬送手段は、外部の空気が電池冷却通路、電子部品冷却通路を順に流れ、ジャンクションボックスの外部に排出される空気経路を形成する。これにより、強制的に電池収容ケース内に取り入れられる空気は、電池から吸熱した後、ジャンクションボックス内の電子部品や、当該部品に接続される導電性部材から吸熱し、これを外部に放熱することができる。したがって、電子部品の熱によって電池を暖めることを回避できるとともに、電子部品自身の温度上昇も抑制することができる。以上より、本発明によれば、電池と電子部品との両方の冷却を実現し、これらの性能発揮に貢献する冷却装置を提供できる。
【図面の簡単な説明】
【０００９】
【図１】本発明の実施形態に係る冷却装置の構成を示す概要図である。
【図２】冷却装置が冷却対象とする電池及び電子部品に関する結線図である。
【図３】ジャンクションボックスの平面図である。
【図４】ジャンクションボックスのカバーを取り外した状態を示した平面図である。
【図５】図３のＶ−Ｖ断面の矢視図である。
【図６】図３のＶＩ−ＶＩ断面の矢視図である。
【図７】ジャンクションボックスのベース部と台座部に形成した連絡通路との位置関係を示す平面図である。
【発明を実施するための形態】
【００１０】
（実施形態）
本発明を適用した実施形態について、図１〜図７を参照して説明する。この実施形態の冷却装置１は、単電池である電池２を複数個搭載する各種の電気機器に適用することができる。冷却装置１は、複数個の電池２と、電池２と電気的に接続される各種電子部品５１と、を少なくとも冷却する装置である。冷却装置１は、具備する部品をパッキングした形態とすることにより電池パックを構成するものであってもよい。
【００１１】
各種電気機器は、蓄電池を有する装置、コンピュータ、車両等である。その一例として、冷却装置１は、内燃機関と電池駆動モータとを組み合わせて走行駆動源とするハイブリッド自動車、モータを走行駆動源とする電気自動車等に用いることができる。この場合、冷却装置１は、走行用モータの駆動電源となる畜電池を備える。
【００１２】
電池２は、例えばニッケル水素二次電池、リチウムイオン二次電池、有機ラジカル電池である。電池２は、外装ケースから外部に突出する正極端子及び負極端子を備える。外装ケースから露出する電極端子であって、隣り合う電池２における異極の端子間は、バスバー等の導電部材によって電気的に接続される。バスバーと電極端子との接続は、例えばネジ締めや、溶接等により行われる。したがって、バスバー等によって電気的に接続された複数個の電池２の両端に配された総端子部は、電力が供給されたり、他の電気機器へ向けて放電したりする。
【００１３】
冷却装置１は、さらに電池２を収容する電池ケース３と、電池２と電気的に接続されて電流制御に関わる電子部品５１を内部に有するジャンクションボックス５と、各部を冷却する空気を流す空気搬送手段の一例である送風機６と、を備える。電池ケース３、ジャンクションボックス５、電池管理ユニット４、及び送風機６は、パックケース２０の内部に設けられている。冷却装置１は、このパックケース２０に包含される装置であり、これを電池パックと称することができる。電子部品５１には、図２の結線図に図示する、正極側のメインリレー５１０、負極側のメインリレー５１１、プリチャージリレー５１２、プリチャージ抵抗５１３、電流センサ５１４等が含まれる。
【００１４】
複数個の電池２に電気的に繋がる機器は、メインリレー５１０、メインリレー５１１、プリチャージリレー５１２、プリチャージ抵抗５１３、電流センサ５１４である。さらに当該機器の一つは、正極側の出力端子５２０、入力端子５２２、負極側の出力端子５２１、入力端子５２３である。
【００１５】
図２に示すように、出力端子５２０は、複数個の電池２からなる電池スタックの正極側に位置し、インバータに接続される。出力端子５２１は、当該電池スタックの負極側に位置し、インバータに接続される。接続端子５２２は、電池２の正極側とジャンクションボックス５とを接続する端子である。接続端子５２３は、電池２の負極側とジャンクションボックス５とを接続する端子である。
【００１６】
メインリレー５１１は、電池スタックにおける負極側の総端子にバスバーを介して接続されるとともに、反対側で出力端子５２１にバスバーを介して接続されている。プリチャージリレー５１２とプリチャージ抵抗５１３は、バスバーを介して直列に接続されている。プリチャージリレー５１２及びプリチャージ抵抗５１３は、メインリレー５１０と並列に接続されている。また、バスバーの代わりに、リード線等の配線を用いるようにしてもよい。
【００１７】
メインリレー５１０及びプリチャージリレー５１２の共通結線部分は、電池スタックにおける正極側の総端子にバスバーや配線を介して接続されている。メインリレー５１０及びプリチャージ抵抗５１３の共通結線部分は、バスバー等を介して接続されている。このように、各種の電子部品５１は、バスバー等によって他の部品と電気的に接続されている。これらのメインリレーは、オンしたときに電池スタック全体が通電状態になり、オフしたときに電池スタック全体が非通電状態になる。
【００１８】
メインリレー５１０、５１１、プリチャージリレー５１２、プリチャージ抵抗５１３、及び電流センサ５１４は、ジャンクションボックス５を形成するボックスケース５０の内部に設けられている。電池管理ユニット４（Battery Management Unit）は、少なくとも電池２の蓄電量を管理する機器であり、電池２に係る制御を行う電池制御ユニットの一例である。また、電池管理ユニット４は、電池２に関する電流、電圧、温度を監視するとともに、電池２の異常、漏電異常等を管理する機器であってもよい。また、電池管理ユニット４には、電流センサ５１４によって検出された電流値に係る信号が入力される。電池管理ユニット４は、メインリレー５１０、５１１、及びプリチャージリレー５１２の作動を制御する機器であってもよい。電池管理ユニット４は、車両に搭載された各種の電子制御装置と通信可能に構成されている。
【００１９】
電池ケース３は、複数個の電池２が収容される電池収容空間を形成する筐体であり、電池収容ケースである。電池ケース３は、電池２を冷却する空気が流通する電池冷却通路３０を内部に有する。電池冷却通路３０は、電池２の外装ケース、電極端子、バスバー、配線等に接触する空気が流れる通路である。電池ケース３には、外部から空気が流入する流入通路３０１と、電池冷却通路３０を流れた空気が流出する流出通路３１１とが設けられている。流入通路３０１は、パックケース２０の開口部２０１とダクト２００によって連結されるため、パックケース２０の外部と連通する。したがって、流出通路３１１は、開口部２０１、流入通路３０１及び電池冷却通路３０を介してパックケース２０の外部と連通する連絡通路である。
【００２０】
ボックスケース５０の内部には、上記の電子部品５１が設けられる電子部品通路５３が形成されている。電子部品通路５３は、電池冷却通路３０とジャンクションボックス５の外部、すなわちボックスケース５０の外部とを連通させる通路である。電子部品通路５３は、接触して電子部品５１を冷却する空気が流通する電子部品冷却通路を構成する。電子部品通路５３と電池冷却通路３０は、台座部３１を貫通して形成された流出通路３１１を介して繋がっている。
【００２１】
電池管理ユニット４及びジャンクションボックス５は、電池ケース３の上部に位置する台座部３１に載置されている。各種の電子部品５１は、ボックスケース５０を介さないで、台座部３１に固定されている。台座部３１は、例えば、電池ケース３の天板部である。ジャンクションボックス５は、台座部３１において、電池管理ユニット４よりも送風機６の吸込み部６０に近い位置に設けられている。
【００２２】
さらに、ジャンクションボックス５には、電子部品通路５３を流れてきた空気が外部に排出される空気排出部５３０が設けられている。空気排出部５３０は、ボックスケース５０の壁部を貫通する貫通口部であり、電子部品通路５３とボックスケース５０の外部とを連通させる。空気排出部５３０は、吸込み部６０に隣接する位置に設けられている。空気排出部５３０は、吸込み部６０に近接し、対面する位置に設けられることが好ましい。
【００２３】
電池管理ユニット４は、ジャンクションボックス５に対して、空気排出部５３０の反対側に位置するように設けられる。したがって、空気排出部５３０からボックスケース５０の外部に排出される空気は、隣接する吸込み部６０に向かうので、反対側に位置する電池管理ユニット４に向かって流れることはない。
【００２４】
送風機６の本体部は、パックケース２０の内部に位置する。送風機６の吹出し部６１は、パックケース２０の外部に露出するように設けられている。したがって、送風機６を運転すると、吸込み部６０から吸い込まれた空気がパックケース２０の外部に排出されることになる。この吸引流により、パックケース２０の外部の空気は、開口部２０１、流入通路３０１を通じて電池冷却通路３０に流入し、電池冷却通路３０を流通する過程で複数個の電池２から吸熱して冷却する。複数個の電池２を冷却した後の空気は、流出通路３１１を通ってボックスケース５０内の電子部品通路５３に流入する。電子部品通路５３を流通する空気は、各種の電子部品５１に接触してこれらを冷却した後、空気排出部５３０から流出し、吸込み部６０に吸い込まれる。
【００２５】
図３は、ジャンクションボックス５を上から見た平面図である。図３に図示するように、ボックスケース５０は、下部に位置するベース部５０２と、ベース部５０２を上方から部分的に覆うカバー部５０１とを一体に組み立てることにより、形成される。ボックスケース５０は、ベース部５０２が電池ケース３に取り付けられることによって、電池ケース３に固定されている。
【００２６】
次に、ボックスケース５０に内部に設けた電子部品通路５３について図４〜図７を参照して説明する。図４は、図３に図示する状態からカバー部５０１を取り外した状態を示した平面図である。なお、図４において、メインリレー５１０、メインリレー５１１、プリチャージリレー５１２には、見やすくするため、格子状のハッチングを付している。
【００２７】
メインリレー５１０、メインリレー５１１、プリチャージリレー５１２、プリチャージ抵抗５１３、電流センサ５１４は、電子部品通路５３の所定の位置に配置されている。電子部品通路５３は、ボックスケース５０に形成された複数の通路入口部と一つの通路出口部を有する。電子部品通路５３は、ボックスケース５０内で、入口が複数であり、出口が入口の個数よりも少ない複数の通路を構成する。また、電子部品通路５３は、ボックスケース５０内で、入口が複数であって出口が一つである複数の通路を構成するようにしてもよい。すなわち、各通路入口部は、一つの通路出口部に通じている。各通路入口部は、流出通路３１１に接続されている。
【００２８】
したがって、電池冷却通路３０を流出して流出通路３１１を通過した空気は、各通路入口部から電子部品通路５３に流入する。そして、各通路入口部から流入した空気は、複数の通路を流通し、空気流れが集まるように、入口の個数よりも減少した個数の出口からボックスケース５０の外部へ流出する。
【００２９】
複数の通路入口部は、ボックスケース５０の下部に位置する平板状のベース部５０２を貫通する複数の開口部を形成することにより設けられている。例えば、以下、図４に図示するように、メインリレー５１０が設けられる通路の通路入口部は、入口部５０２１である。メインリレー５１１が設けられる通路の通路入口部は、入口部５０２２である。プリチャージリレー５１２が設けられる通路の通路入口部は、入口部５０２３である。
【００３０】
図４及び図７に示すように、各入口部は、対応する電子部品５１の下方に開口する。メインリレー５１０、メインリレー５１１、プリチャージリレー５１２、電流センサ５１４に対応する各入口部は、各電子部品の外形に対応したサイズ、または外形よりも大きいサイズの開口部を形成する。
【００３１】
各電子部品５１に対応する入口部は、台座部３１を貫通して形成された流出通路３１１に連通するように設けられている。流出通路３１１は、台座部３１に複数個設けられている。流出通路３１１には、電子部品５１の下方で開口する通路を含む。
【００３２】
図７に示すように、複数個の流出通路３１１には、メインリレー５１０、メインリレー５１１、プリチャージリレー５１２のそれぞれの下方で開口する通路を含んでいる。ベース部５０２に形成された入口部５０２１〜５０２６のそれぞれは、いずれかの流出通路３１１に繋がるように設けられる。
【００３３】
図５及び図６に示すように、各電子部品５１の周囲及び各バスバーの周囲には、入口部５０２１〜５０２３を通過して電子部品通路５３に流入した空気が空気排出部５３０に向かって流れる。図５は、図３に図示するＶ−Ｖ断面を矢印の方向に見た断面図である。図５は、メインリレー５１０、電流センサ５１４のそれぞれが存在する通路を流れてきた空気が合流し、空気排出部５３０に向かう流れを形成する電子部品通路５３を示している。バスバー５１０１は、メインリレー５１０と電流センサ５１４のコア穴部を貫通し、出力端子５２０に電気的に接続する導電性部材である。バスバー５１０２は、メインリレー５１０と入力端子５２２に接続される導電性部材である。メインリレー５１１と出力端子５２１はバスバーを介して接続される。バスバー５１０１，５１０２は、メインリレー５１０，５１１や電流センサ５１４の上部に位置する。さらにバスバー５１０１，５１０２は、ボックスケース５０内に形成される電子部品通路５３のうち、ジャンクションボックス５内で上部に位置する通路部分に設けられる。
【００３４】
図６は、図３に図示するＶＩ−ＶＩ断面を矢印の方向に見た断面図である。図６には、流出通路３１１から流入した空気がメインリレー５１０、メインリレー５１１のそれぞれの周囲を流れる電子部品通路５３が示されている。
【００３５】
したがって、電池冷却通路３０を流通してきた空気は、複数個の流出通路３１１を経て、各入口部５０２１〜５０２３から電子部品通路５３に流入する。当該空気は、電子部品通路５３を流通する過程で各電子部品５１に接触することで各電子部品５１及びバスバー５１０１，５１０２等を冷却する。このとき、電子部品通路５３を流通する空気は、ボックスケース５０の内部を下部から上部に向けて流れながら、空気排出部５３０に向かう。そして、冷却後の空気は、送風機６の吸引力にしたがって、空気排出部５３０からボックスケース５０の外部に排出されて、吸込み部６０に吸い込まれる。
【００３６】
また、冷却装置１は、車両の車室内に設けられる座席の下方に設置することができる。例えば、冷却装置１は、電池ケース３をジャンクションボックス５よりも下方に位置させる姿勢で、車室内の座席の下に設置される。また、座席の下方の冷却装置１を設置する空間は、トランクルームよりも下方のトランクルーム裏空間に連通させるようにしてもよい。また当該設置空間は、車外に連通するようにも構成できる。この構成によれば、送風機６の運転による強制風により電池２、電子部品５１の順に吸熱した空気は、車室外に放熱し、車室内に対する熱負荷を軽減することができる。
【００３７】
上記の実施形態によれば、冷却装置１は、ジャンクションボックス５の内部に形成され、電子部品５１が設けられる電子部品通路５３を備える。電子部品通路５３は、電池冷却通路３０とジャンクションボックス５の外部とを連通させる通路である。送風機６の運転によって電池ケース３内に流入した空気は、電池冷却通路３０を流通して電池２を冷却した後、電子部品通路５３を流通して電子部品５１を冷却し、ジャンクションボックス５の外部に排出される。
【００３８】
この構成によれば、空気搬送手段である送風機６は、外部の空気が電池冷却通路３０、電子部品通路５３を順に流れ、ジャンクションボックス５の外部に排出される空気経路を形成する。これによれば、強制的に電池ケース３内に取り入れられる空気は、電池２から吸熱した後、ボックスケース５０内の電子部品５１、当該部品に接続される導電性部材等から吸熱し、この熱を外部に放出する。したがって、電子部品５１の熱によって電池２を暖めてしまうことを回避できる上に、電子部品５１自身の温度上昇も抑制することができる。したがって、冷却装置１によれば、電池２と電子部品５１との両方の冷却を効果的実施し、これらの部品の性能発揮に貢献することができるのである。
【００３９】
電池ケース３の上部に位置する台座部３１には、台座部３１を貫通し電池冷却通路３０と電子部品通路５３とを連結する流出通路３１１が形成される。電子部品５１に電気的に接続されるバスバー５１０１は、電子部品５１の上部に位置し、かつ電子部品通路５３のうち、ジャンクションボックス５内で上部に位置する通路部分に設けられる。
【００４０】
この構成によれば、電池ケース３の上方にジャンクションボックス５を設置することにより、電池冷却通路３０で電池２から吸熱した空気を上方の電子部品通路５３に流す空気経路を構成できる。さらに電子部品５１の発熱が伝わるバスバー５１０１，５１０２を電子部品５１の上部であって、上部に位置する通路に位置させることにより、各バスバーの熱を、熱が伝わりやすい上方へ効果的に放熱させることができる。したがって、バスバー５１０１，５１０２を介した効果的な電子部位５１の放熱経路を有する冷却装置１を提供できる。
【００４１】
また、バスバー５１０１，５１０２は、電子部品通路５３において、通路に沿うように設けられることが好ましい。これによれば、バスバーを電子部品通路５３に長く存在させることにより、電子部品５１の空気冷却面積をより大きくする冷却装置１を提供できる。
【００４２】
また、電子部品５１は、メインリレー５１０、メインリレー５１１、及びプリチャージリレー５１２の少なくとも一つであることが好ましい。これによれば、電池２を冷却するとともに、リレーの発熱量が大きな部品の温度上昇を抑制することができる冷却装置１を提供できる。さらに、電池２の冷却とともに、リレーの励磁コイル温度の上昇を抑制できるので、リレーを再起動する際の必要な電圧を低減することもできる。
【００４３】
また、流出通路３１１は、複数個設けられ、電子部品５１の下方で開口する通路であることが好ましい。これによれば、電池冷却通路３０を流れてきた空気を、流出通路３１１を介してスムーズに電子部品５１に接触させることができる。また、電池冷却通路３０を流れてきた空気を電子部品５１の下面に直接当てることができる。したがって、電池冷却通路３０から電子部品通路５３に移動する際の空気抵抗を抑制することができる。また、当該空気を電子部品５１の下部から上部にかけて流すことができるので、電子部品５１のほぼ全体に空気を接触させることが可能である。したがって、電子部品５１の冷却効果を高める空気流れを形成できる。
【００４４】
電池管理ユニット４は、ジャンクションボックス５の空気排出部５３０とは反対側で、ジャンクションボックス５に隣接するように設けられる。この構成によれば、電子部品通路５３を流通して空気排出部５３０から外部に排出される空気は、送風機６の吸引力によって、吸込み部６０に向けて流れる。したがって、空気排出部５３０から吸込み部６０に向かう空気流れが形成されるため、電子部品５１を冷却した後の空気が、反対側に位置する電池管理ユニット４に向かって流れることはなく、当該空気によって電池管理ユニット４が暖められてしまうことを防止できる。
【００４５】
（他の実施形態）
以上、本発明の好ましい実施形態について説明したが、本発明は上述した実施形態に何ら制限されることなく、本発明の主旨を逸脱しない範囲において種々変形して実施することが可能である。
【００４６】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００４７】
上記実施形態において、空気排出部５３０は、吸込み部６０に隣接する位置に設けられるが、この形態に限定されない。空気排出部５３０と吸込み部６０は、電子部品通路５３の空気が吸込み部６０に吸い込まれる程度の位置関係にあればよい。また、空気排出部５３０と吸込み部６０は、ダクトによって直接接続される形態でもよい。
【００４８】
上記実施形態において、電子部品通路５３は、ボックスケース５０内で、入口が複数であり、出口が一つである複数の通路を構成するが、この形態に限定されない。例えば、電子部品通路５３は、ボックスケース５０内で、入口が複数であり出口が複数である複数の通路を構成してもよい。
【００４９】
上記実施形態で説明した冷却装置１は、電池ケース３を下方に、ジャンクションボックス５を上方に位置する姿勢で車両等に配置されているが、この形態に限定されない。例えば、冷却装置１の設置姿勢は、電池ケース３を上方に、ジャンクションボックス５を下方に位置する姿勢であったり、電池ケース３とジャンクションボックス５とが横方向に並ぶ姿勢であったりしてもよい。
【００５０】
上記実施形態において、送風機６は、電池冷却通路３０及び電子部品通路５３よりも空気流れ下流に位置するように設けられているが、この形態に限定されない。送風機６は、電池冷却通路３０及び電子部品通路５３よりも空気流れ上流に位置する形態でもよい。
【００５１】
上記実施形態において、送風機６は、パックケース２０の内部に収容されているが、この形態に限定されない。送風機６は、パックケース２０の外部に設けられて、電池冷却通路３０及び電子部品通路５３に対して、空気流れの上流または下流に位置する形態でもよい。
【００５２】
上記実施形態において、電池スタックを構成する複数個の電池２は、ケースの収容空間で、隣接する単電池間に隙間を設けずに接触させた状態で設置される形態でもよいし、電池間に所定の隙間をあけて設置するようにしてもよい。
【符号の説明】
【００５３】
２…電池
３…電池ケース（電池収容ケース）
５…ジャンクションボックス
６…送風機（空気搬送手段）
３０…電池冷却通路
５１…電子部品
５３…電子部品通路（電子部品冷却通路）
【図１】
0006015573.tif 000002
【図２】
0006015573.tif 000003
【図３】
0006015573.tif 000004
【図４】
0006015573.tif 000005
【図５】
0006015573.tif 000006
【図６】
0006015573.tif 000007
【図７】
0006015573.tif 000008